(57)【要約】【課題】電話端末から通信ネットワークを介して宛先の電話番号を登録させ、その電話端末からの要求に基づいて、その電話端末と、登録された電話番号が付与された電話端末とを通信可能に接続する。【解決手段】通信システムは、ゲートウェイ装置２０と、通信接続装置３０と、ボイスポータル装置４０とにより構成されている。ボイスポータル装置４０は、携帯電話端末１０に対して、ボイスポータル装置４０が提供する通信サービスの内容について音声信号を用いて案内し、特定の通信サービスを選択させる機能を有している。また、ボイスポータル装置４０は、携帯電話端末１０によって選択された通信サービスに応じて、所定の情報の登録や携帯電話端末１０と固定電話端末５０，５０１とを通信可能に接続する機能を有している。【選択図】　　　図１
2004056523.tif 000002
【特許請求の範囲】
【請求項１】
利用者の電話端末の電話番号と、該利用者の電話端末との通信を行う宛先の電話番号と、登録識別子とを対応付けて記憶する記憶手段と、
前記利用者の電話端末からの発信に伴い生起された呼設定信号に含まれる該利用者の電話端末の電話番号を検出する電話番号検出手段と、
前記利用者の電話端末に対して、前記宛先の電話番号の登録または該宛先の電話番号が付与された電話端末との通信のいずれかを選択させるメニューを提供するメニュー提供手段と、
前記メニュー提供手段による前記メニューに応じて前記宛先の電話番号を登録する項目が選択された場合において、前記利用者の電話端末から、該宛先の電話番号と、前記登録識別子とを取得し、該宛先の電話番号と、該登録識別子と、検出した該利用者の電話端末の電話番号とを前記記憶手段に登録する情報取得登録手段と、
前記メニュー提供手段による前記メニューに応じて前記宛先の電話番号との通信を行う項目が選択された場合において、前記利用者の電話端末から、その登録された前記登録識別子を取得する識別子取得手段と、
取得した前記登録識別子と、検出した前記利用者の電話端末の電話番号とに対応付けられて前記記憶手段に記憶されている前記宛先の電話番号に基づいて、前記利用者の電話端末と該宛先の電話番号が付与された電話端末とを通信可能に接続する接続手段と
を有することを特徴とするサーバ。
【請求項２】
前記情報取得登録手段は、前記利用者の電話端末から送出される音声信号の特定部分を前記登録識別子として認識して前記記憶手段に登録し、
前記識別子取得手段は、前記利用者の電話端末から送出される音声信号が、前記記憶手段に登録された前記登録識別子に対応する音声信号と合致するかを照合することを特徴とする請求項１に記載のサーバ。
【請求項３】
前記情報取得登録手段は、前記利用者の電話端末から送出される音声信号の中から前記宛先の電話番号を認識して該宛先の電話番号を取得することを特徴とする請求項１に記載のサーバ。
【請求項４】
利用者の電話端末の電話番号と、該利用者の電話端末との通信を行う宛先の電話番号と、登録識別子とを対応付けて記憶する記憶手段と、
前記利用者の電話端末からの発信に伴い生起された呼設定信号に含まれる該利用者の電話端末の電話番号を検出する電話番号検出手段と、
検出した前記利用者の電話端末の電話番号に基づいて、前記利用者の電話端末との通信路を設定する通信路設定手段と、
前記利用者の電話端末に対して、前記宛先の電話番号の登録または該宛先の電話番号が付与された電話端末との通信のいずれかを選択させるメニューを、前記通信路を通じて提供するメニュー提供手段と、
前記メニュー提供手段による前記メニューに応じて前記宛先の電話番号を登録する項目が選択された場合において、前記利用者の電話端末から、該宛先の電話番号と、前記登録識別子とを前記通信路を通じて取得し、該宛先の電話番号と、該登録識別子と、検出した該利用者の携帯通信端末の電話番号とを前記記憶手段に登録する情報取得登録手段と、
前記メニュー提供手段による前記メニューに応じて前記宛先の電話番号との通信を行う項目が選択された場合において、前記利用者の電話端末から、その登録された前記登録識別子を、前記通信路を通じて取得する識別子取得手段と、
取得した前記登録識別子と、検出した前記利用者の電話端末の電話番号とに対応付けられて前記記憶手段に記憶されている前記宛先の電話番号に基づいて、前記利用者の電話端末と該宛先の電話番号が付与された電話端末とを通信可能に接続する接続手段と
を有することを特徴とする通信システム。
【請求項５】
前記利用者の電話端末は、携帯電話端末であり、
前記携帯電話端末に対する通信を提供する携帯電話網に接続する携帯電話網接続手段を備え、
前記通信路設定手段は、前記携帯電話網接続手段を介して前記携帯電話端末との前記通信路を設定することを特徴とする請求項４に記載の通信システム。
【請求項６】
前記情報取得登録手段は、前記利用者の電話端末から送出される音声信号の特定部分を前記登録識別子として認識して前記記憶手段に登録し、
前記識別子取得手段は、前記利用者の電話端末から送出される音声信号が、前記記憶手段に登録された前記登録識別子に対応する音声信号と合致するかを照合することを特徴とすることを特徴とする請求項４または５のいずれか一項に記載の通信システム。
【請求項７】
前記情報取得登録手段は、前記利用者の電話端末から送出される音声信号の中から前記宛先の電話番号を認識して該宛先の電話番号を取得することを特徴とする請求項４または５のいずれか一項に記載の通信システム。
【請求項８】
利用者の電話端末の電話番号と、該利用者の電話端末との通信を行う宛先の電話番号と、登録識別子を対応付けて記憶する記憶手段が設けられている通信システムにおける通信方法であって、
利用者側が、通信システムに対して前記利用者の電話端末を用いて発信するステップ（１）と、
前記通信システムが、前記利用者の電話端末からの発信に伴い生起された呼設定信号に含まれる該利用者の電話端末の電話番号を検出するステップ（２）と、前記通信システムが、前記ステップ（２）において検出した前記利用者の電話端末の電話番号に基づいて、前記利用者の電話端末との通信路を設定するステップ（３）と、
前記通信システムが、前記利用者の電話端末に対して、前記宛先の電話番号の登録または該宛先の電話番号が付与された電話端末との通信のいずれかを選択させるメニューを、前記通信路を通じて提供するステップ（４）と、
前記利用者側が、前記メニューに応じて前記宛先の電話番号を登録する項目を選択した場合において、前記利用者側が、前記利用者の電話端末から、前記宛先の電話番号と、前記登録識別子とを前記通信路を通じて入力するステップ（５）と、
前記通信システムが、入力された前記宛先の電話番号と、入力された前記登録識別子と、前記ステップ（２）において検出した前記利用者の電話端末の電話番号とを登録するステップ（６）と、
前記利用者側が、前記メニューに応じて前記宛先の電話番号との通信を行う項目を選択した場合において、前記利用者側が、前記利用者の電話端末から前記通信路を通じて前記登録識別子を入力するステップ（７）と、
前記通信システムが、入力された前記登録識別子を取得するステップ（８）と、
前記通信システムが、前記ステップ（８）において取得した前記登録識別子と、前記ステップ（２）において検出した前記利用者の電話端末の電話番号とに対応付けられて登録されている前記宛先の電話番号に基づいて、前記利用者の電話端末と該宛先の電話番号が付与された電話端末とを通信可能に接続するステップ（９）と
を有することを特徴とする通信方法。
【請求項９】
前記利用者の電話端末は、携帯電話端末であり、
前記携帯電話端末に対する通信を提供する携帯電話網に接続する携帯電話網接続手段を備え、
前記通信路設定手段は、前記携帯電話網接続手段を介して前記携帯電話端末との前記通信路を設定することを特徴とする請求項８に記載の通信方法。
【請求項１０】
前記ステップ（６）において、前記利用者の電話端末から送出される音声信号の特定部分を前記登録識別子として認識して登録し、
前記ステップ（８）において、前記利用者の電話端末から送出される音声信号が、登録された前記登録識別子に対応する音声信号と合致するかを照合することを特徴とすることを特徴とする請求項８または９のいずれか一項に記載の通信方法。
【請求項１１】
前記ステップ（６）において、前記利用者の電話端末から送出される音声信号の中から前記宛先の電話番号を認識して該宛先の電話番号を取得することを特徴とする請求項８または９のいずれか一項に記載の通信方法。
【発明の詳細な説明】
【０００１】
【発明の属する技術分野】
本発明は、電話番号と識別子とを関連付けて登録し、識別子に基づいて登録された電話番号との通信を提供する通信用サーバ、通信システム及び通信方法に関する。
【０００２】
【従来の技術】
宛先の電話番号と、その電話番号を識別するための登録用の識別子と、所定のグループ等とを関連付けて登録し、登録された電話番号を参照して発信することができる、いわゆる電話帳の機能は、電話端末に内蔵されているのが一般的である。
【０００３】
【発明が解決しようとする課題】
しかしながら、上述のように電話端末に電話帳の機能が内蔵されている場合、当該電話端末を交換した場合には、あらためて宛先の電話番号を登録する必要があった。また、携帯電話端末に内蔵されている電話帳の機能は、携帯電話端末を所持していない場合や携帯電話端末のバッテリーが充電されていない場合には、登録された電話番号を参照することができないという問題もあった。
【０００４】
そこで、本発明は、以上の点を鑑みてなされたものであり、電話端末から通信ネットワークを介して宛先の電話番号を登録させ、その電話端末からの要求に基づいて、その電話端末と、登録された電話番号が付与された電話端末とを通信可能に接続する通信用サーバ、通信システム及び通信方法を提供することを目的とする。
【０００５】
【課題を解決するための手段】
上記目的を達成するために、本発明の第一の特徴は、利用者の電話端末の電話番号と、その利用者の電話端末との通信を行う宛先の電話番号と、登録識別子とを対応付けて記憶する記憶手段と、利用者の電話端末からの発信に伴い生起された呼設定信号に含まれるその利用者の電話端末の電話番号を検出する電話番号検出手段と、利用者の電話端末に対して、宛先の電話番号の登録またはその宛先の電話番号が付与された電話端末との通信のいずれかを選択させるメニューを提供するメニュー提供手段と、メニュー提供手段によるメニューに応じて宛先の電話番号を登録する項目が選択された場合において、利用者の電話端末から、その宛先の電話番号と、登録識別子とを取得し、その宛先の電話番号と、その登録識別子と、検出した利用者の電話端末の電話番号とを記憶手段に登録する情報取得登録手段と、メニュー提供手段によるメニューに応じて宛先の電話番号との通信を行う項目が選択された場合において、利用者の電話端末から、その登録された登録識別子を取得する識別子取得手段と、取得した登録識別子と、検出した利用者の電話端末の電話番号とに対応付けられて記憶手段に記憶されている宛先の電話番号に基づいて、利用者の電話端末とその宛先の電話番号が付与された電話端末とを通信可能に接続する接続手段と
を有することを要旨とする。
【０００６】
本発明の第一の特徴によれば、利用者の電話端末からの要求に応じて、記憶手段に記憶されている登録識別子に基づいて、利用者の電話端末と宛先の電話番号が付与された電話端末とを通信可能に接続するため、利用者の電話端末に電話番号を記憶する必要がなくなり、その電話端末を交換した場合等における電話帳への電話番号の再登録を回避することができる。
【０００７】
また、本発明の第一の特徴においては、情報取得登録手段は、利用者の電話端末から送出される音声信号の特定部分を登録識別子として認識して記憶手段に登録し、識別子取得手段は、利用者の電話端末から送出される音声信号が、記憶手段に登録された登録識別子に対応する音声信号と合致するかを照合することが好ましい。
【０００８】
さらに、本発明の第一の特徴においては、情報取得登録手段は、利用者の電話端末から送出される音声信号の中から宛先の電話番号を認識して、その宛先の電話番号を取得することが好ましい。
【０００９】
かかる場合、登録識別子及び宛先の電話番号として音声信号を用いることができることから、利用者は、電話端末に実装されているプッシュボタンを用いた入力操作が不要になり、特にプッシュボタンの操作が自由に行えないような利用者でも、登録識別子や宛先の電話番号を容易に指定することができる。
【００１０】
本発明の第二の特徴は、利用者の電話端末の電話番号と、その利用者の電話端末との通信を行う宛先の電話番号と、登録識別子とを対応付けて記憶する記憶手段と、利用者の電話端末からの発信に伴い生起された呼設定信号に含まれるその利用者の電話端末の電話番号を検出する電話番号検出手段と、検出した利用者の電話端末の電話番号に基づいて、利用者の電話端末との通信路を設定する通信路設定手段と、利用者の電話端末に対して、宛先の電話番号の登録またはその宛先の電話番号が付与された電話端末との通信のいずれかを選択させるメニューを、通信路を通じて提供するメニュー提供手段と、メニュー提供手段によるメニューに応じて宛先の電話番号を登録する項目が選択された場合において、利用者の電話端末から、その宛先の電話番号と、登録識別子とを通信路を通じて取得し、その宛先の電話番号と、その登録識別子と、検出した該利用者の携帯通信端末の電話番号とを記憶手段に登録する情報取得登録手段と、メニュー提供手段によるメニューに応じて宛先の電話番号との通信を行う項目が選択された場合において、利用者の電話端末から、その登録された登録識別子を、通信路を通じて取得する識別子取得手段と、取得した登録識別子と、検出した利用者の電話端末の電話番号とに対応付けられて記憶手段に記憶されている宛先の電話番号に基づいて、利用者の電話端末とその宛先の電話番号が付与された電話端末とを通信可能に接続する接続手段とを有することを要旨とする。
【００１１】
また、本発明の第二の特徴においては、利用者の電話端末は、携帯電話端末であり、携帯電話端末に対する通信を提供する携帯電話網に接続する携帯電話網接続手段を備え、通信路設定手段は、前記携帯電話網接続手段を介して前記携帯電話端末との前記通信路を設定することが好ましい。
【００１２】
本発明の第二の特徴によれば、通信システムが、利用者の電話端末に対して発信して設定した通信路を用いてその利用者の電話端末と宛先電話端末とを通信可能に接続するため、その利用者の電話端末からの発信であっても、通信システムは、通信システムからその利用者の電話端末への発信呼とすることができる。
【００１３】
通信システムからの通信に掛かる料金は、発信呼量に応じた割引が適用されることから、通信システムよりも発信呼量が少ない利用者の電話端末からの発信に適用される通信料金の単価よりも安価となり、割引後の通信料金の単価に基づいてその利用者に請求することにより、通信料金を低減することができる。
【００１４】
本発明の第三の特徴は、利用者の電話端末の電話番号と、その利用者の電話端末との通信を行う宛先の電話番号と、登録識別子を対応付けて記憶する記憶手段が設けられている通信システムにおける通信方法であって、利用者側が、通信システムに対して利用者の電話端末を用いて発信するステップ（１）と、通信システムが、利用者の電話端末からの発信に伴い生起された呼設定信号に含まれるその利用者の電話端末の電話番号を検出するステップ（２）と、通信システムが、ステップ（２）において検出した利用者の電話端末の電話番号に基づいて、利用者の電話端末との通信路を設定するステップ（３）と、通信システムが、利用者の電話端末に対して、宛先の電話番号の登録またはその宛先の電話番号が付与された電話端末との通信のいずれかを選択させるメニューを、通信路を通じて提供するステップ（４）と、利用者側が、メニューに応じて宛先の電話番号を登録する項目を選択した場合において、利用者側が、利用者の電話端末から、宛先の電話番号と、登録識別子とを通信路を通じて入力するステップ（５）と、通信システムが、入力された宛先の電話番号と、入力された登録識別子と、ステップ（２）において検出した利用者の電話端末の電話番号とを登録するステップ（６）と、利用者側が、メニューに応じて宛先の電話番号との通信を行う項目を選択した場合において、利用者側が、利用者の電話端末から通信路を通じて登録識別子を入力するステップ（７）と、通信システムが、登録識別子を取得するステップ（８）と、通信システムが、ステップ（８）において取得した登録識別子と、ステップ（２）において検出した利用者の電話端末の電話番号とに対応付けられて登録されている宛先の電話番号に基づいて、利用者の電話端末とその宛先の電話番号が付与された電話端末とを通信可能に接続するステップ（９）とを有することを要旨とする。
【００１５】
本発明の第三の特徴によれば、利用者側が、利用者の電話端末を用いて通信システムに対して発信することにより、通信システムが、その利用者の電話端末に対して折り返し発信して通信路を設定し、その通信路を通じて、その利用者の電話端末と宛先の電話番号が付与された電話端末とを通信可能に接続するため、その利用者の電話端末からの発信であっても通信システムからその利用者の電話端末への発信呼とすることができる。
【００１６】
通信システムからの通信に掛かる料金は、発信呼量に応じた割引が適用されるため、通信システムよりも発信呼量が少ない利用者の電話端末からの発信に適用される通信料金の単価よりも安価となり、割引後の通信料金の単価に基づいてその利用者に請求することにより、通信料金を低減することができる。
【００１７】
【発明の実施の形態】
（通信システムの全体構成）
本実施形態に係る通信システムについて図面を参照しながら説明する。図１は、本実施形態に係る通信システムを示す概略構成図である。
【００１８】
同図において、通信システムは、ゲートウェイ装置２０と、通信接続装置３０と、ボイスポータル装置４０とにより構成されている。また、ゲートウェイ装置２０と、通信接続装置３０と、ボイスポータル装置４０とは、固定電話網１にそれぞれ接続されている。
【００１９】
固定電話網１は、所定の場所に設置して使用される固定電話端末５０，５０１に対して電話サービスを提供するための電話網である。また、固定電話網１は、電話交換機を利用した回線交換方式による従来の電話網ではなく、ＶｏＩＰ（Ｖｏｉｃｅ　ｏｖｅｒ　ＩＰ）技術を使用したＩＰ電話サービスを提供する電話網である。固定電話網１は、回線交換方式による従来の電話網と比較して、通信設備の構成が簡素化されるため、一般的に安価な通信料金により電話サービスを提供することができる。
【００２０】
携帯電話網２は、無線方式により通信を行う基地局３を介し、携帯電話端末１０，携帯通信端末１１に対して携帯電話サービスを提供するための電話網である。携帯電話網２は、例えばＰＤＣ（Ｐｅｒｓｏｎａｌ　Ｄｉｇｉｔａｌ　Ｃｅｌｌｕｌａｒ）方式やＣＤＭＡ（ＣｏｄｅＤｉｖｉｓｉｏｎ　Ｍｕｌｔｉｐｌｅ　Ａｃｃｅｓｓ）方式を用いたディジタル携帯電話システムである。
【００２１】
また、固定電話網１と携帯電話網２とは、ゲートウェイ装置２０を介して接続され、携帯電話端末１０，携帯通信端末１１と、固定電話端末５０，５０１との間における通信を可能とする。
【００２２】
データ通信網４は、基地局３を介して、データ通信が可能な携帯電話端末である携帯通信端末１１に対してデータ通信を提供するための通信網である。また、データ通信網４は、ゲートウェイ装置２０を介して固定電話網１に接続されている。
【００２３】
携帯通信端末１１は、データ通信網４を介して電子メールの送受や所定のコンテンツ記述言語によって作成されたＷｅｂページの表示等を行うことができる。
【００２４】
次に、本実施形態に係る通信システムを構成するゲートウェイ装置２０、通信接続装置３０ならびにボイスポータル装置４０の構成についてそれぞれ説明する。
【００２５】
ゲートウェイ装置２０は、本実施形態において、携帯電話端末１０からの発信に伴い生起された呼設定信号に含まれる携帯電話端末１０の電話番号を検出する電話番号検出手段を構成するものである。
【００２６】
具体的には、ゲートウェイ装置２０は、携帯電話端末１０からのゲートウェイ装置２０への発信に伴い生起された呼設定信号に含まれる携帯電話端末１０の電話番号を検出し、その電話番号をボイスポータル装置４０に転送する。
【００２７】
呼設定信号に含まれている電話番号を検出する方法としては、例えばＩＴＵ−Ｔ（国際電気通信連合・電気通信標準化部門）勧告Ｉ．２５１において規定されているＣＬＩＰ（Ｃａｌｌｉｎｇ　Ｌｉｎｅ　Ｉｄｅｎｔｉｆｉｃａｔｉｏｎ　Ｐｒｅｓｅｎｔａｔｉｏｎ）を用いることができる。
【００２８】
当該勧告に基づく動作によれば、ゲートウェイ装置２０は、呼設定信号に含まれる電話番号を、携帯電話端末１０からの呼に応答する以前の呼出中の段階で取得することが可能である。このため、携帯電話端末１０が、ゲートウェイ装置２０が応答する以前に当該呼設定を中止する、いわゆる電話を切ることにより、ゲートウェイ装置２０は、携帯電話端末１０に対する通信料金の課金を回避しつつ携帯電話端末１０の電話番号を取得することもできる。
【００２９】
また、ゲートウェイ装置２０は、携帯通信端末１１から送信される電子メールに含まれる携帯通信端末１１の電話番号を取得するものである。携帯通信端末１１は、本実施形態において、例えばＩＥＴＦ　ＲＦＣ８２２に準拠した電子メールにおけるヘッダ（ｈｅａｄｅｒ　ｐａｒｔ）中の「Ｓｕｂｊｅｃｔ」部分、本文（ｂｏｄｙ　ｐａｒｔ）部分もしくはメールアドレスのユーザパート部分（ｘｘｘｘ＠ｄｏｍａｉｎのｘｘｘｘ部分）のいずれかの部分に携帯通信端末１１の電話番号が含ませることができる。
【００３０】
携帯通信端末１１が、携帯通信端末１１の電話番号が含まれた電子メールをゲートウェイ装置２０に対して送信することにより、ゲートウェイ装置２０は、当該電子メールに含まれている携帯通信端末１１の電話番号を検出し、その電話番号をボイスポータル装置４０に転送する。
【００３１】
通信接続装置３０は、本実施形態において、携帯電話端末１０に対する通信を提供する携帯電話網２と接続する携帯電話網接続手段と、ゲートウェイ装置２０が検出した電話番号に基づいて携帯電話端末１０との通信路を設定する通信路設定手段とを構成する。
【００３２】
具体的には、通信接続装置３０は、ボイスポータル装置４０と接続され、ボイスポータル装置４０から受信した電話番号に基づいて、基地局３との無線通信回線ならびに携帯電話網２を通じて当該電話番号が付与された携帯電話端末１０と通信が行えるように接続する。
【００３３】
また、通信接続装置３０は、ボイスポータル装置４０から同時期に複数の電話番号を受信した場合においても、複数の携帯電話端末１０と同時にそれぞれ接続するため、例えば複数の携帯電話端末を具備し、基地局３に対する無線通信回線を複数確保することができるようになっている。
【００３４】
ボイスポータル装置４０は、携帯電話端末１０に対して、ボイスポータル装置４０が提供する通信サービスの内容について音声信号を用いて案内し、特定の通信サービスを選択させる機能を有している。また、ボイスポータル装置４０は、携帯電話端末１０によって選択された通信サービスに応じて、所定の情報の登録や携帯電話端末１０と固定電話端末５０，５０１とを通信可能に接続する機能を有している。
【００３５】
本実施形態に係るボイスポータル装置４０は、１）携帯電話端末１０から通話を行う宛先の電話番号を取得して、その電話番号が付与された固定電話端末５０との接続を行う「通話接続サービス」、２）複数の固定電話端末５０，５０１または携帯電話端末１０を同時通話が可能に接続する「電話会議サービス」、３）宛先の電話番号と、その電話番号を識別するための登録識別子等とを関連付けて登録し、その登録された電話番号を参照して発信する「電話帳サービス」を提供することができる。
【００３６】
本実施形態において、ボイスポータル装置４０は、図２に示すように、メニュー提供部４１と、情報取得部４２と、音声認識部４３と、データベース４４と、通信制御部４５と、接続部４６と、通話内容録音部４７とを有している。
【００３７】
メニュー提供部４１は、本実施形態においては、携帯電話端末１０に対して、宛先の電話番号の登録またはその宛先の電話番号が付与された電話端末との通信のいずれかを選択させるメニュー提供手段を構成する。
【００３８】
具体的には、ボイスポータル装置４０が提供する各通信サービスに応じたメニューを具備し、情報取得部４２を介して、その通信サービスの内容を音声信号によって携帯電話端末１０に対して案内するものである。
【００３９】
本実施形態に係るメニュー提供部４１は、１）通話接続サービス、２）電話会議サービス、３）電話帳サービス、の各通信サービスに応じたメニューの内容を携帯電話端末１０に対して、音声信号を用いて対話形式により順次案内し、特定の通信サービスの選択や電話番号等の入力を行わせることができる。
【００４０】
情報取得部４２は、メニュー提供部４１と連動して、携帯電話端末１０から入力された電話番号や登録識別子を取得するものである。
【００４１】
情報取得部４２は、本実施形態において、宛先の電話番号と、登録識別子と、ゲートウェイ装置２０が検出した携帯電話端末１０の電話番号とを取得する情報取得登録手段及び携帯電話端末１０から、通信接続装置３０が設定した通信路を通じて登録識別子を取得する識別子取得手段を構成する。
【００４２】
具体的には、情報取得部４２は、メニュー提供部４１が携帯電話端末１０に対して案内したメニューにおいて、携帯電話端末１０が「通話接続サービス」を選択した場合には、携帯電話端末１０から送信される宛先の電話番号を取得する。
【００４３】
また、情報取得部４２は、メニュー提供部４１が携帯電話端末１０に対して案内したメニューにおいて、携帯電話端末１０が「電話会議サービス」を選択した場合には、携帯電話端末１０から送信される登録識別子を取得する。
【００４４】
さらに、情報取得部４２は、メニュー提供部４１が携帯電話端末１０に対して案内したメニューにおいて、携帯電話端末１０が「電話帳サービス」を選択した場合には、携帯電話端末１０から送信される宛先の電話番号及びその宛先の電話番号と対応付けられる登録識別子等を取得する。
【００４５】
なお、登録識別子とは、通信サービスの利用者が付与することのできる識別子であり、例えば宛先の電話番号に対応する利用者の氏名や会社の名称等、所定の字数の範囲内における任意の文字・数字の組合せを用いることができる。
【００４６】
情報取得部４２は、携帯電話端末１０から送信されたプッシュボタン（ＰＢ）信号に基づいて、上述した宛先の電話番号や登録識別子を数字や文字情報として取得し、その情報を選択された通信サービスの内容と合わせて通信制御部４５に転送する。
【００４７】
また、情報取得部４２は、携帯電話端末１０から送信された音声信号を音声認識部４３に転送するようにもなっている。
【００４８】
音声認識部４３は、本実施形態において、携帯電話端末１０から送信された音声信号の中から宛先の電話番号を認識して取得するものである。また、音声認識部４３は、携帯電話端末１０から送信された音声信号の特定部分を登録識別子として取得し、携帯電話端末１０から送信された音声信号が、その登録された登録識別子に対応する音声信号と合致するかを照合するものである。
【００４９】
具体的には、音声認識部４３は、情報取得部４２から転送された音声信号の中から宛先の電話番号を認識し、その宛先の電話番号を表す数字列を通信制御部４５に送信する。また、音声認識部４３は、情報取得部４２から転送された音声信号の特定部分を、登録識別子として取得し、取得した音声信号を通信制御部４５に送信する。さらに、音声認識部４３は、情報取得部４２から転送された音声信号の中からデータベース４４に記憶されている登録識別子と合致するかを照合し、その結果を通信制御部４５に送信する。
【００５０】
データベース４４は、本実施形態において、ゲートウェイ装置２０が検出した携帯電話端末１０の電話番号と、情報取得部４２が取得した宛先の電話番号ならびに登録識別子とを記憶する記憶手段を構成する。
【００５１】
具体的には、データベース４４は、電話番号テーブル４４ａと、電話会議テーブル４４ｂとを具備し、通信制御部４５からの制御に基づいて、ゲートウェイ装置２０が検出した携帯電話端末１０の電話番号を通信サービスの利用者ＩＤとし、この利用者ＩＤと、情報取得部４２または音声認識部４３が取得した宛先の電話番号ならびに登録識別子を記憶する。
【００５２】
電話番号テーブル４４ａには、ゲートウェイ装置２０が検出した携帯電話端末１０の電話番号と、情報取得部４２または音声認識部４３が取得した宛先の電話番号及び登録識別子とがひとつのレコードとして記憶されるようになっている。
【００５３】
電話会議テーブル４４ｂには、ゲートウェイ装置２０が取得した携帯電話端末１０の電話番号と、情報取得部４２または音声認識部４３が取得した宛先の電話番号及び登録識別子とがひとつのレコードとして記憶されるようになっている。
【００５４】
なお、「電話会議サービス」を利用する際に必要となる宛先の電話番号及び登録識別子については、「電話帳サービス」を用いて取得することができ、「電話帳サービス」によって取得された複数の宛先の電話番号と、登録識別子とが電話会議テーブル４４ｂに記憶されるようになっている。また、ボイスポータル装置４０が、電話会議の開催日時を取得することにより、当該電話会議を申し込んだ利用者の携帯電話端末１０と、取得した宛先の電話番号の付与された複数の固定電話端末５０，５０１とを開催日時に自動的に同時通話が可能に接続するようにしてもよい。
【００５５】
通信制御部４５は、本実施形態において、ゲートウェイ装置２０が検出した携帯電話端末１０の電話番号と、情報取得部４２から受信した宛先の電話番号ならびに登録識別子等をデータベース４４に登録する情報取得登録手段を構成する。また、通信制御部４５は、情報取得部４２から受信した通信サービスの情報とデータベース４４に記憶されている情報とを参照して携帯電話端末１０と固定電話端末５０とを通信可能に接続するための制御を行う機能を有している。
【００５６】
具体的には、通信制御部４５は、ゲートウェイ装置２０が検出した携帯電話端末１０の電話番号と、情報取得部４２から受信した宛先の電話番号と、登録識別子とを対応付けて、ひとつのレコードとしてデータベース４４に登録する。
【００５７】
また、通信制御部４５は、情報取得部４２から受信した情報に基づいて、データベース４４に記憶されているその当するレコードを参照して、携帯電話端末１０の電話番号または宛先の電話番号の情報を接続部４６に送信する。
【００５８】
接続部４６は、本実施形態において、携帯電話端末１０と、宛先の電話番号が付与された固定電話端末５０，５０１とを通信可能に接続する接続手段を構成する。
【００５９】
接続部４６は、通信制御部４５から受信した携帯電話端末１０の電話番号または宛先の電話番号の情報に基づき、携帯電話端末１０と、その宛先の電話番号が付与された固定電話端末５０とを通信可能に接続する。また、接続部４６は、固定電話網１と接続されており、ゲートウェイ装置２０及び通信接続装置３０との通信インターフェースを具備している。
【００６０】
具体的には、接続部４６は、通信制御部４５から受信した携帯電話端末１０の電話番号に基づいて、通信接続装置３０にその電話番号を送信するとともに携帯電話端末１０との通信路を設定するよう指示する。また、接続部４６は、通信制御部４５から受信した宛先の電話番号に基づいて、その宛先の電話番号が付与された固定電話端末５０に対して発信し、固定電話端末５０との通信路を設定する。さらに、接続部４６は、通信接続装置３０が接続した携帯電話端末１０との通信路と、固定電話端末５０との通信路を接続することにより、携帯電話端末１０と、固定電話端末５０との通信を提供することができる。
【００６１】
通話内容録音部４７は、「電話会議サービス」を提供する場合において、同時通話が可能に接続された携帯電話端末１０と固定電話端末５０との間における同時通話の内容を録音するものである。
【００６２】
具体的には、通話内容録音部４７は、携帯電話端末１０と固定電話端末５０とが同時通話可能に接続された時点から、当該接続が解放されるまでの期間における電話会議の内容の録音することができる。また、通話内容録音部４７は、録音した内容を、データベース４４に音声ファイルとして登録することもできる。
【００６３】
なお、当該音声ファイルは、パスワード等の認証を付加してインターネットに公開されているサーバ上に登録してもよい。これにより、当該電話会議の関係者は、その内容を電話会議の終了後においても容易に聴取することができる。また、通話内容録音部４７は、利用者からの要求に基づいて電話会議の内容の録音を解除するようにすることもできる。
【００６４】
本実施形態において、ゲートウェイ装置２０と、通信接続装置３０と、ボイスポータル装置４０とは、別個の装置としたが、本発明はこれに限定されるものではなく、ゲートウェイ装置２０と、通信接続装置３０と、ボイスポータル装置４０とを一体とすることもでき、また、本実施形態におけるゲートウェイ装置２０と、通信接続装置３０と、ボイスポータル装置４０との各装置に具備される機能は、他の装置に具備することもできる。
【００６５】
（通信システムを用いた通信方法）
上述した構成を有する本実施形態に係る通信システムを用いた通信方法について、以下に説明する。
【００６６】
まず、携帯電話端末１０から通信システムに対して宛先の電話番号を登録する方法について、図３を用いて説明する。
【００６７】
携帯電話端末１０の利用者は、固定電話端末５０，５０１との電話会議を行う場合、まず、携帯電話端末１０を用いてゲートウェイ装置２０に対して電話を掛ける（Ｓ３０１）。
【００６８】
ゲートウェイ装置２０は、携帯電話端末１０がゲートウェイ装置２０へ発信したことにより生起された呼設定信号に含まれる携帯電話端末１０の電話番号（例えば０９０−ｘｘｘｘ−ｙｙｙｙ）を検出する（Ｓ３０３）。
【００６９】
なお、ステップＳ３０１において、携帯電話端末１０の利用者は、携帯電話端末１０において呼出音を確認後、ゲートウェイ装置２０が応答する前に電話を切ってもよい。また、ステップＳ３０３において、所定の時間携帯電話端末１０からの呼出しが継続された場合には、携帯電話端末１０からの呼はボイスポータル装置４０に転送され、通信システムから携帯電話端末１０に対して電話を掛け直す（コールバックする）旨の音声信号が、ボイスポータル装置４０から携帯電話端末１０に対して送出されるようになっている。なお、コールバックする旨の音声信号に代えて、ボイスポータル装置４０は、メニュー提供部４１からボイスポータル装置４０が提供する通信サービスを案内してもよい。
【００７０】
次いで、ゲートウェイ装置２０は、ステップＳ３０３において検出した携帯電話端末１０の電話番号（０９０−ｘｘｘｘ−ｙｙｙｙ）をボイスポータル装置４０に転送する（Ｓ３０５）。
【００７１】
ボイスポータル装置４０は、ゲートウェイ装置２０から転送された携帯電話端末１０の電話番号（０９０−ｘｘｘｘ−ｙｙｙｙ）を取得（Ｓ３０７）し、当該電話番号を通信接続装置３０に送信するとともに、携帯電話端末１０と接続するよう指示する（Ｓ３０９）。
【００７２】
通信接続装置３０は、ボイスポータル装置４０から受信した電話番号（０９０−ｘｘｘｘ−ｙｙｙｙ）に基づき、携帯電話端末１０に対して発信する（Ｓ３１１）。なお、携帯電話端末１０が通話中または通信接続装置３０からの呼に応答しない場合には、通信接続装置３０は、所定の時間経過後に再度携帯電話端末１０に対して発信するようになっている。
【００７３】
携帯電話端末１０の利用者が、通信接続装置３０から携帯電話端末１０に対する発信に伴い生起された呼に応答すると、ボイスポータル装置４０は、携帯電話端末１０との通信路を設定し、通信を開始する（Ｓ３１３）。
【００７４】
このように、ステップＳ３０３においてゲートウェイ装置２０が検出した携帯電話端末１０の電話番号に基づいて、ボイスポータル装置４０から、通信接続装置３０を通じて携帯電話端末１０に対してコールバックすることにより、ボイスポータル装置４０からの発信呼とすることができ、携帯電話網２の使用に伴う通信料金はボイスポータル装置４０に対して課金されるようになる。
【００７５】
ボイスポータル装置４０からの通信接続装置３０を通じた携帯電話端末１０への発信呼量は、上述したコールバックを用いることもあり、通常、携帯電話端末１０からの発信呼量と比較して著しく多い。このため、本実施形態に係る通信方法においては、携帯電話網２の使用に伴う通信料金の単価を、携帯電話端末１０からの発信に適用される通信料金の単価よりも大幅に割引されたものとすることができる。
【００７６】
次いで、ボイスポータル装置４０は、ステップＳ３１３において接続された携帯電話端末１０に対して、１）「通話接続サービス」、２）「電話会議サービス」、３）「電話帳サービス」の中から所望の通信サービスを選択するよう音声信号によって案内する（Ｓ３１５）。
【００７７】
携帯電話端末１０の利用者は、３）電話帳サービスを選択するため、これに該当する番号「３」を携帯電話端末１０に具備されたプッシュボタン（ＰＢ）を用いて入力する（Ｓ３１７）。
【００７８】
ボイスポータル装置４０は、携帯電話端末１０から入力されたＰＢ信号を取得して「電話帳サービス」が選択されたことを認識し、携帯電話端末１０に対して、１）「一般の電話番号登録」、２）「電話会議用電話番号登録」、３）「登録済電話番号との通話接続」の中から所望の項目を選択するよう音声信号によって案内する（Ｓ３１９）。
【００７９】
携帯電話端末１０の利用者は、１）一般の電話番号登録を選択するため、これに該当する番号「１」を携帯電話端末１０に具備されたプッシュボタン（ＰＢ）を用いて入力する（Ｓ３２１）。
【００８０】
ボイスポータル装置４０は、携帯電話端末１０から入力されたＰＢ信号を取得して「一般の電話番号登録」が選択されたことを認識し、携帯電話端末１０に対して、宛先の電話番号をＰＢまたは音声で入力するよう音声信号によって案内する（Ｓ３２３）。
【００８１】
携帯電話端末１０の利用者は、ＰＢを用いて宛先の電話番号（例えば０３０−ａａａａ−ｂｂｂｂ）を入力するか、または、利用者が「０３０−ａａａａ−ｂｂｂｂ」と発声して宛先の電話番号を入力する（Ｓ３２５）。
【００８２】
ボイスポータル装置４０は、　ボイスポータル装置４０は、携帯電話端末１０から入力された宛先の電話番号（０３０−ａａａａ−ｂｂｂｂ）を取得し、携帯電話端末１０に対して、登録識別子をＰＢまたは音声で入力するよう音声信号によって案内する（Ｓ３２７）。
【００８３】
携帯電話端末１０の利用者は、ＰＢを用いて登録識別子（例えばマルマルタロウ）を入力するか、または、利用者が「マルマルタロウ」と発声して登録識別子を入力する（Ｓ３２９）。
【００８４】
ボイスポータル装置４０は、携帯電話端末１０から入力された登録識別子（マルマルタロウ）を取得し、その登録識別子（マルマルタロウ）と、ステップＳ３０７において取得した携帯電話端末１０の電話番号（０９０−ｘｘｘｘ−ｙｙｙｙ）と、ステップＳ３２７において取得した宛先の電話番号（０３０−ａａａａ−ｂｂｂｂ）とを対応付けてデータベース４４に登録する（Ｓ３３１）。
【００８５】
このとき、ステップＳ３２１において、「一般の電話番号登録」が選択された場合には、電話会議用が選択された場合には電話番号テーブル４４ａに、「電話会議用電話番号登録」が選択された場合には、電話会議テーブル４４ｂに登録されるようになっている。
【００８６】
次に、携帯電話端末１０から通信システムに登録された宛先の電話番号が付与された電話端末と通話する方法について、図４を用いて説明する。図４におけるステップＳ４０１からステップＳ４１９については、図３におけるステップＳ３０１からステップＳ３１９と同様であるため、ステップＳ４２１以降について説明する。
【００８７】
携帯電話端末１０の利用者は、３）登録済電話番号との通話接続を選択するため、これに該当する番号「３」を携帯電話端末１０に具備されたプッシュボタン（ＰＢ）を用いて入力する（Ｓ４２１）。
【００８８】
ボイスポータル装置４０は、携帯電話端末１０から入力されたＰＢ信号を取得して「登録済電話番号との通話接続」が選択されたことを認識し、携帯電話端末１０に対して、登録識別子を入力するよう音声信号によって案内する（Ｓ４２３）。
【００８９】
携帯電話端末１０の利用者は、ステップＳ３２９において、ＰＢによって登録識別子を入力した場合には、ＰＢを用いて登録識別子（マルマルタロウ）を入力し、ステップＳ３２７において、利用者が「マルマルタロウ」と発声して登録識別子を入力した場合には、利用者が「マルマルタロウ」と発声して登録識別子を入力する（Ｓ４２５）。
【００９０】
ボイスポータル装置４０は、携帯電話端末１０から入力された登録識別子（マルマルタロウ）を取得し、その登録識別子と、ステップＳ４０７において取得した携帯電話端末１０の電話番号（０９０−ｘｘｘｘ−ｙｙｙｙ）に対応付けられてデータベース４４に記憶されている宛先の電話番号（例えば０３０−ａａａａ−ｂｂｂｂ）が付与された固定電話端末５０に対して発信する（Ｓ４２７）。
【００９１】
なお、固定電話端末５０が通話中またはボイスポータル装置４０からの呼に応答しない場合には、携帯電話端末１０に対してその旨通知できるようにもなっている。
【００９２】
また、ボイスポータル装置４０は、ステップＳ４０７において取得した電話端末の電話番号が、その登録識別子（マルマルタロウ）と対応付けられてデータベース４４に記憶されている電話番号（０９０−ｘｘｘｘ−ｙｙｙｙ）と異なる場合には、その電話端末の利用者に対して、その利用者の利用者ＩＤとしてデータベース４４に記憶されている電話番号（０９０−ｘｘｘｘ−ｙｙｙｙ）の入力を要求するようになっている。このように、データベース４４に記憶されている電話番号（０９０−ｘｘｘｘ−ｙｙｙｙ）と異なる電話番号の電話端末からでも、記憶されている電話番号（０９０−ｘｘｘｘ−ｙｙｙｙ）の入力を要求することにより、ボイスポータル装置４０が提供する「電話帳サービス」を利用して登録された宛先の電話番号（０３０−ａａａａ−ｂｂｂｂ）に対して発信することができる。
【００９３】
固定電話端末５０の利用者は、ボイスポータル装置４０から固定電話端末５０に対する発信に伴い生起された呼に応答する（Ｓ４２９）。
【００９４】
次いで、ボイスポータル装置４０は、ステップＳ４１３において携帯電話端末１０に対して設定した通信路を用いて、携帯電話端末１０と固定電話端末５０とを接続する（Ｓ４３１）。
【００９５】
なお、ステップＳ４２５において携帯電話端末１０から登録識別子（マルマルタロウ）を取得した後、ボイスポータル装置４０は、ステップＳ４１３において携帯電話端末１０との間に設定した通信路を解放（いわゆる電話を切る）し、ステップＳ４２７において、携帯電話端末１０と固定電話端末５０とにそれぞれ発信して、携帯電話端末１０と固定電話端末５０とを接続してもよい。このような方法を採用することにより、本実施形態に係る通信方法においては、ステップＳ４２７において固定電話端末５０が通話中またはボイスポータル装置４０からの呼に応答しない場合において、ステップＳ４１３においてボイスポータル装置４０が設定した通信路を不必要に保留しておく時間を回避することができる。
【００９６】
（通信システム及び通信方法による作用・効果）
以上説明した本実施形態に係る通信システム及び通信方法によれば、利用者の携帯電話端末１０からの要求に応じて、ボイスポータル装置４０が、データベース４４に記憶されている情報に基づいて、携帯電話端末１０と宛先の電話番号が付与された電話端末とを通信可能に接続するため、利用者は、携帯電話端末１０に宛先の電話番号を記憶する必要がなくなり、携帯電話端末１０を交換した場合における電話帳への宛先の電話番号の再登録や、携帯電話端末１０を使用できない場合に宛先の電話番号を参照できないといった問題を回避することができる。
【００９７】
また、本実施形態によれば、携帯電話端末１０が、固定電話端末５０に対して発信する場合であっても、ボイスポータル装置４０が、ゲートウェイ装置２０によって検出した携帯電話端末１０の電話番号に基づいて、通信接続装置３０を通じて携帯電話端末１０にコールバックする。このため、ボイスポータル装置４０から携帯電話端末１０に対する発信呼とすることができ、ボイスポータル装置４０からの発信呼量に応じて割引された通信料金の単価によって通信を行うことができる。
【００９８】
また、固定電話網１は、本実施形態によれば、ＶｏＩＰ（Ｖｏｉｃｅ　ｏｖｅｒ　ＩＰ）技術を使用したＩＰ電話網であるため、電話交換機を利用した回線交換方式による電話網によって提供される電話サービスと比較して通信設備構成を簡素化することができ、提供する通信料金を安価に設定することができる。
【００９９】
従って、特に通信料金が高額となる傾向が強い携帯電話端末１０と固定電話端末５０，５０１との通信に掛かる通信料金を大幅に低減することができる。
【０１００】
本実施形態によれば、ボイスポータル装置４０が、通信接続装置３０を通じて携帯電話端末１０に接続するため、固定電話網１と携帯電話網２とがゲートウェイ装置２０によって接続されていない場合においても、携帯電話端末１０と固定電話端末５０とを通信可能に接続することができ、固定電話網１と携帯電話網２とが接続されていないために携帯電話端末１０や固定電話端末５０が通信できないといった制限を回避することができる。
【０１０１】
また、本実施形態によれば、ボイスポータル装置４０が、携帯電話端末１０から送出される携帯電話端末１０の利用者の音声を認識して、宛先の電話番号や登録識別子を取得するため、利用者は、プッシュボタンを用いた入力操作が不要となり、特にプッシュボタンの操作が自由に行えないような利用者でも、登録識別子を容易に指定することができる。
【０１０２】
（変更例）
なお、上述の実施形態では、携帯電話端末１０から固定電話端末５０，５０１に対する通信について本発明を適用した場合について説明したが、本発明の技術的思想は、これに限定されるものではなく、例えば固定電話端末５０，５０１から携帯電話端末１０または携帯通信端末１１に対する通信や、携帯電話端末１０と携帯通信端末１１との通信等にも適用することができる。
【０１０３】
【発明の効果】
以上説明したように本発明によれば、電話端末から通信ネットワークを介して宛先の電話番号を登録させ、その電話端末からの要求に基づいて、その電話端末と、登録された電話番号が付与された電話端末とを通信可能に接続することができる。
【図面の簡単な説明】
【図１】本発明の実施形態に係る通信システムの概略構成を示す説明図である。
【図２】本発明の実施形態に係るボイスポータル装置の構成を示すブロック図である。
【図３】本発明の実施形態に係る電話帳機能への宛先の電話番号及び登録識別子の登録方法を示すシーケンス図である。
【図４】本発明の実施形態に係る電話帳機能を用いた電話端末との通信方法を示すシーケンス図である。
【符号の説明】
１…固定電話網、　２…携帯電話網、　３…基地局、　４…データ通信網、　１０…携帯電話端末、　１１…携帯通信端末、　２０…ゲートウェイ装置、　３０…通信接続装置、　４０…ボイスポータル装置、　５０，５０１…固定電話端末
【図１】
2004056523.tif 000003
【図２】
2004056523.tif 000004
【図３】
2004056523.tif 000005
【図４】
2004056523.tif 000006